(57)【特許請求の範囲】
【請求項１】
ベイト収容空間を有し、前記ベイト収容空間へのシロアリの侵入を許容する状態に地中埋設される埋設本体を設け、前記ベイト収容空間を地上側から開閉自在にする蓋部材を設けたステーションボックスを備えたシロアリ監視装置であって、
前記ステーションボックスのベイト収容空間に臨んでシロアリの代謝ガスを検知する水素ガス検知素子を設けたシロアリ監視装置。
【請求項２】
前記ステーションボックスのベイト収容空間の温度を検知する温度検知機構を設けた請求項１に記載のシロアリ監視装置。
【請求項３】
前記ステーションボックスのベイト収容空間の湿度を検知する湿度検知機構を設けた請求項１または２に記載のシロアリ監視装置。
【請求項４】
請求項１〜３のいずれかに記載のシロアリ監視装置を複数設けるとともに、前記シロアリ監視装置それぞれに前記水素ガス検知素子からのガス検知出力を得るガス検知回路部を設け、前記それぞれのガス検知回路部からのガス検知出力を受けるモニタ装置を設け、前記モニタ装置に、そのガス検知出力に基づき、前記シロアリ監視装置における食害状況を報知する報知部を設けたシロアリ監視機構。
【請求項５】
請求項２に記載のシロアリ監視装置を複数設けるとともに、前記シロアリ監視装置それぞれに、前記温度検知機構からの温度検知出力を得る温度検知回路部を設け、
前記水素ガス検知素子からのガス検知出力を得るガス検知回路部を設け、
前記温度検知出力に基づき、前記ガス検知回路部を駆動させる制御部を設け、
前記それぞれのガス検知回路部からのガス検知出力を受けるモニタ装置を設け、
前記モニタ装置に、そのガス検知出力に基づき、前記シロアリ監視装置における食害状況を報知する報知部を設けたシロアリ監視機構。
【請求項６】
請求項３に記載のシロアリ監視装置を複数設けるとともに、前記シロアリ監視装置それぞれに、前記湿度検知機構からの湿度検知出力を得る湿度検知回路部を設け、
前記水素ガス検知素子からのガス検知出力を得るガス検知回路部を設け、
前記湿度検知出力に基づき、前記ガス検知回路部を駆動させる制御部を設け、
前記それぞれのガス検知回路部からのガス検知出力を受けるモニタ装置を設け、
前記モニタ装置に、そのガス検知出力に基づき、前記シロアリ監視装置における食害状況を報知する報知部を設けたシロアリ監視機構。
【発明の詳細な説明】
【０００１】
【発明の属する技術分野】
本発明は、ベイト収容空間を有し、前記ベイト収容空間へのシロアリの侵入を許容する状態に地中埋設される埋設本体を設け、前記ベイト収容空間を地上側から開閉自在にする蓋部材を設けたステーションボックスを備えたシロアリ監視装置に関する。
【０００２】
【従来の技術】
近年、シロアリ防除において、「可能な限り環境中に殺虫剤などの異物を放出せず、また残さない防除技術」の確立が強く求められている。特に最近、レスケミカル、ケミカルフリーな防除処理に関する研究が、アメリカ、オーストラリア、日本などで盛んに研究されている。このようなレスケミカルを達成するためには、シロアリ食害部位や被害の程度をできる限り初期の段階で探知する技術が、シロアリ被害の少ない段階でのシロアリ防除、という意味で非常に重要な役割を持つと考えられる。
つまり、定期的にシロアリ被害の調査を行うなどして、シロアリの被害を早期に発見することができれば、シロアリの生息する虞のある区域全体への薬剤散布を行う従来の薬剤使用方法に替えて、シロアリが実際に活動している部分だけに限定的に薬剤を使用してシロアリを防除することが可能になり、レスケミカルに貢献することができると考えられる。
【０００３】
そこで、シロアリ殺虫成分を含んだシロアリ用ベイト（以下単にベイトと称する）を収容可能にするベイト収容空間を有し、前記ベイト収容空間へのシロアリの侵入を許容する状態に地中埋設される埋設本体を設け、前記ベイト収容空間を地上側から開閉自在にする蓋部材を設けたステーションボックスを設けたシロアリ監視装置を設け、そのシロアリ監視装置にシロアリ殺虫成分を含んでいないシロアリ用ベイト（以下単に餌と称する）を収容し、地中に埋設しておいたものを用意しておき、そのシロアリ監視装置内の餌を人が定期的に巡回監視して、その餌の食害状況を点検し、食害の発生しているシロアリ監視装置に収容される餌をシロアリ殺虫成分を含んだベイトに交換して、前記ベイトを食べたシロアリを、その巣内のシロアリ全体ごと殺虫することが行われている。
【０００４】
この方法は、▲１▼シロアリのモニタリング、▲２▼ベイティング、▲３▼再モニタリングの３つの工程で駆除、防除がなされる。つまり▲１▼モニタリングでは、殺虫成分を含んでいないベイトを収容したステーションボックスを地中に埋設して、定期的にステーション内部を目視で検査して、シロアリの活動状況を調べる。▲２▼ベイティングでは、シロアリの所在が確認されたカ所へ遅効性のシロアリ殺虫成分を含んだシロアリ用ベイトに置き換える。シロアリのほとんどが薬剤を摂取して、数カ月でコロニー全体が死滅するのを監視する。▲３▼再モニタリングでは、シロアリの死滅後、新たな侵入がないかを引き続き監視して、侵入があるとすぐに▲２▼の工程に移行する。
すなわちこの方法では、如何にして継続的に長期間に渡りシロアリの活動状況およびシロアリ殺虫成分の効果を効率よくモニタリングできるかどうかが重要になる。
【０００５】
【発明が解決しようとする課題】
上述した従来のシロアリ監視装置によると、前記餌やベイトの食害状況は前記シロアリ監視装置の設置者が、シロアリ監視装置個々について定期的に巡回監視しなければならないため、例えば、一戸建ての住宅であっても、その住宅全体のシロアリ監視をするためには６〜８個のシロアリ監視装置を設け、あらゆる方向からのシロアリの侵入を監視する必要があることになるため、その個々のシロアリ監視装置のすべての餌やベイトの食害状況を監視するには、前記シロアリ監視装置の設置個所を個々に巡回しつつ、そのシロアリ検知装置の蓋を開閉操作してベイト収容空間に収容した餌やベイトを回収する作業を行い、かつ、その餌やベイトの食害状況からシロアリの生息状況を推定し、そのシロアリの生息状況に応じた餌やベイトを交換補充するといった一連の操作を行わねばならず、このような作業をすべてのシロアリ監視装置について、５〜１０日おきに長期にわたって行うには多大な労力を要する。
【０００６】
また、このようにして食害を検知することができたとしても、人が目視による点検を行うから、シロアリの食害状況を定量的に把握するのは困難で、食害の状況を客観的に把握するには、作業者の熟練を要するという現状があった。
【０００７】
従って、本発明の目的は、上記実状に鑑み、ベイトの食害情報を容易にかつ定量的に監視することのできるシロアリ監視装置を提供することにある。
【０００８】
【課題を解決するための手段】
一般に、シロアリが木材等を食べた場合に、種々の代謝ガスが発生するといわれている。本発明者らは、上述の視覚に基づくシロアリの検知には、いずれも限界があるとの認識から、前記代謝ガスを検知することによりシロアリを発見することができるのではないかと考え、鋭意研究の結果、前記代謝ガスを検知可能なガス検知素子を用いることにより、前記シロアリの代謝ガス量を把握し、そのシロアリの生息数を推定しうることを見いだし、本発明に想到した。
また、さらに、本発明者らは、前述のシロアリの活動は、外気温度および湿度と密接に関係があることも見出している。
【０００９】
そこで、この目的を達成するための本発明のシロアリ監視装置の特徴構成は、
ベイト収容空間を有し、前記ベイト収容空間へのシロアリの侵入を許容する状態に地中埋設される埋設本体を設け、前記ベイト収容空間を地上側から開閉自在にする蓋部材を設けたステーションボックスを備え、
前記ステーションボックスのベイト収容空間に臨んでシロアリの代謝ガスを検知する水素ガス検知素子を設けた点にある。
また、さらに、前記ステーションボックスのベイト収容空間の温度を検知する温度検知機構や、湿度を検知する湿度検知機構を設けることが好ましい。
【００１０】
また、上述のシロアリ監視装置を複数設けるとともに、前記シロアリ監視装置それぞれに水素ガス検知素子からのガス検知出力を得るガス検知回路部を設け、前記それぞれのガス検知回路部からのガス検知出力を受けるモニタ装置を設け、前記モニタ装置に、そのガス検知出力に基づき、前記シロアリ監視装置における食害状況を報知する報知部を設けてシロアリ監視機構を構成することができる。
このようなシロアリ監視機構は、前記ステーションボックスのベイト収容空間の温度を検知する温度検知機構や、湿度を検知する湿度検知機構を設けてある場合には、前記温度検知機構や湿度検知機構からの温度検知出力や湿度検知出力を得る温度検知回路部や湿度検知回路部を設け、
前記水素ガス検知素子からのガス検知出力を得るガス検知回路部を設け、
前記温度検知出力や湿度検知出力に基づき、前記ガス検知回路部を駆動させる制御部を設け、
前記それぞれのガス検知回路部からのガス検知出力を受けるモニタ装置を設け、
前記モニタ装置に、そのガス検知出力に基づき、前記シロアリ検知装置における食害状況を報知する報知部を設けて構成することができる。
【００１１】
〔作用効果〕
つまり、シロアリの代謝ガスを検知する水素ガス検知素子は、シロアリの代謝ガス成分としての水素を検知することができる。この水素ガス検知素子を前記ベイト収容空間内に臨んで設けてあるから、前記水素ガス検知素子は、そのベイト収容空間内のシロアリの代謝ガスを検知することができる。すなわち、その水素ガス検知素子が代謝ガスを検知したということは、前記ベイト収容空間へのシロアリの侵入が認められ、かつその侵入したシロアリが前記餌もしくはベイトを食べ、代謝ガスを発生したということになるから、その代謝ガスの検知に基づき、シロアリの侵入が検知できたことになる。また、前述のように、前記代謝ガスの発生量は、前記シロアリの数に依存することを見いだしており、前記代謝ガスの発生量を把握することによって、シロアリの生息数を推定できる。
従って、前記ベイト収容空間内の代謝ガス濃度を監視するだけで、シロアリによる食害をモニタできることになって、従来の前記シロアリ監視装置の蓋を開閉して餌やベイトを点検する労力を要しなくなったため、シロアリの食害状況を軽作業で簡単に把握できるようになった。
【００１２】
さらに、これらのシロアリ監視装置の複数から得られる前記代謝ガスの検知出力を少数のモニタ装置で集中して受け、そのモニタ装置で報知するようにすると、作業者が各シロアリ監視装置を巡回して点検する作業を前記モニタ装置の報知部を監視するだけで、各シロアリ監視装置におけるシロアリの食害状況が把握できるようになる。
【００１４】
また、雰囲気温度がある程度低いとシロアリの活動は緩慢になり、代謝ガスをほとんど放出しなくなり、逆に、雰囲気温度が十分高くなるとシロアリの活動は活発になり、代謝ガスの発生が定常的に観測されるようになることが見いだされていることから、例えば温暖期のように温度および湿度の条件がシロアリの活動に適している時期には、前記代謝ガスの水素ガス検知素子による検知を頻繁に行い、一方、寒冷期のように温度や湿度が低くシロアリの活動には適さない条件の時には、代謝ガスの検知周期を大きくするというように、温度検知出力に基づいてシロアリの活動している可能性の高い時期に重点的にシロアリ監視装置を作動させることができるようになるため、食害の発生していないときに、シロアリ監視装置が不要な電力を消費するのを防止出来、省電力による作動が可能になる。
また、雰囲気湿度についても同様のことがいえる。
【００１５】
水素ガス検知素子は、感応材料である金属酸化物半導体をガス検知に適した温度にまで加熱する必要があって、乾電池を電源として長期間使用するのは困難である場合が多い。しかし、上述のように省電力作動すれば、シロアリ監視装置を乾電池駆動させる構成としてあっても、尚一層長期間にわたって使用することができるようになる。
【００１６】
また、ガス検知出力を、前記報知部に対して無線で通信する構成にしておけば、住宅周辺の屋外に配線工事を施す必要が無くなり、利便性に優れた構成となるる。
【００１７】
【発明の実施の形態】
以下に本発明の実施の形態を図面に基づいて説明する。
図１に示すように、本発明のシロアリ監視機構は、たとえば、一戸建て住宅Ｈの敷地内で前記住宅Ｈの周辺にそって、複数のシロアリ監視装置Ｓを配設するとともに、前記住宅内には前記シロアリ監視装置Ｓから代謝ガスを検知したガス検知出力をモニタするモニタ装置Ｍを設け、そのモニタ装置Ｍに、前記ガス検知出力に基づき、シロアリの食害の有無等の食害状況を報知する報知部９を設けて構成してある。
【００１８】
前記シロアリ検知装置Ｓは、図２に示すように、シロアリ殺虫成分を含んだシロアリ用ベイトを収容可能にするベイト収容空間１を有し、前記ベイト収容空間１へのシロアリの侵入を許容する状態に地中埋設される埋設本体２を設け、前記ベイト収容空間１を地上側から開閉自在にする蓋部材３を設けたステーションボックスを備え、
前記ステーションボックスのベイト収容空間１に臨んで前記シロアリ用ベイトへのシロアリの侵入に基づく代謝ガスを検知するガス検知素子４を設けて構成してある。
【００１９】
前記埋設本体２は、地中埋設される有底の筒状部２１と、前記筒状部上端から径方向外方側へ延設されるフランジ部２２から構成され、前記筒状部２１の上端部近傍には前記蓋部材３を螺合一体化させるための雌螺子部２３を形成してあるとともに、前記筒状部２１の内方空間をベイト収容空間１に形成してある。また、前記筒状部２１の側壁部には多数のシロアリ侵入口２４を形成してある。
【００２０】
前記蓋部材３は前記螺子部２３に雌螺合自在な雄ねじ部３１を形成してある短筒状で、その内側にはガス検知素子４を設けるとともに、そのガス検知素子４からガス検知出力を得るためのガス検知回路部５を設けてある。
【００２１】
前記ガス検知素子４は、図３に示すように、ブリッジ回路に組み込まれ、そのブリッジ電圧がガス検知出力として得られるように前記ガス検知回路部５を構成してある。前記ガス検知回路部５は、送信部６とともにユニット部Ｂとして設けられ、前記蓋部材３に取付けられる。このようにして得られたガス検知出力は、前記ガス検知回路部５に接続される送信部６から前記モニタ装置Ｍに設けられる受信部７に伝達される。
【００２２】
前記埋設本体２の内部にはベイト装着具２５が内装してあり、２つ割筒形状で木材を主成分とするベイト１０に挟持させて、前記ベイト１０とともに前記ベイト収容空間１に挿脱自在に構成してある。
【００２３】
前記モニタ装置Ｍは、前記送信部６からのガス検知出力の信号を定期的に受け取る受信部７を設けるとともに、前記受信部７で受け取った信号を、シロアリの代謝ガス濃度あるいは、その代謝ガス濃度に基づいて推定されるシロアリ生息数に換算する演算部８を設け、その演算部８でえられた演算結果をシロアリの食害情報として、前記信号を発したシロアリ監視装置の設置位置と関連づけて液晶表示したり、ランプの点灯、消灯、ブザーのオンオフ等により報知する報知部９を設けて構成してある。尚、前記報知部９は、前記シロアリ監視装置の設置個所数に対応して、それぞれから得られるシロアリ監視情報を区別して報知できるように構成する。
【００２４】
これにより、住宅Ｈの周囲に配設された前記シロアリ監視装置に餌となるシロアリ殺虫成分を含んでいないシロアリ用ベイト（餌）を収容しておけば、前記モニタ装置が代謝ガスの発生を検知したときにシロアリの食害が始まっていることを知ることができるようになり、長期にわたって人が前記シロアリ監視装置を定期点検し続ける必要が無くなり、シロアリの食害予防にかかる労力を最小限に抑えることができるようになる。
このようにして、代謝ガスが検知されると、そのガス検知出力から推定されるシロアリの食害情報に基づいて、対応するシロアリ監視装置には、餌に代えてベイト収容空間にシロアリ殺虫成分を含んだシロアリ用ベイト（ベイト）を収容する。すると、前記餌に寄りついていたシロアリは、以後前記ベイトをもって帰巣するため、前記ベイトを食べたシロアリは、巣ごと弱体化し、数ヶ月のモニタリングの間にコロニー全体が死滅することになる。
【００２５】
前記ガス検知素子４は、例えば、以下のように形成した水素ガス検知素子、臭い検知素子、炭化水素ガス検知素子等を採用することができる（図４参照）。
【００２６】
なお、図３においては、前記代謝ガス検出部Ｓ内部の送信部６と受信部７とは無線により信号を伝送する例を示したが、送信部６と受信部７とを信号線で接続し、さらに代謝ガス検出部Ｓの電源を外部供給すべく地中に埋設・配線した電源ケーブルによって接続することもできる。このように構成すれば、前記代謝ガス検出部Ｓの電力消費量に関わらず、半永久的にシロアリの監視を行うことが可能となる。このような電源を外部より供給する方式は、新築の住宅において、住宅建築時にシロアリ監視装置を設置しておけば、住宅へのシロアリの食害が本格化する前に早期発見に役立つ。
【００２７】
〈水素ガス検知素子〉
市販の水酸化インジウム（Ｉｎ（ＯＨ）3）の微粉体を電気炉を用いて焼成することにより酸化インジウムの粉体が得られる。この酸化インジウムをさらに粉砕し、微粉体とし、１．３−ブタンジオール等の分散媒を用いてペースト状にし、図４（イ）に示すように、貴金属線４１を覆って球状に塗布し、乾燥後前記貴金属線４１に電流を流通させ、空気中で焼結し、感応層４２のみからなる熱線型半導体式ガス検知素子を得た。この熱線型半導体式ガス検知素子に、ランタニド金属から選ばれる少なくとも一種以上の金属の塩の溶液を含浸させ、乾燥・焼成して前記感応層４２に、各種金属を酸化物の形態で担持させる。
こうして出来た熱線型半導体式ガス検知素子を、例えば、ヘキサメチルジシロキサン（ＨＭＤＳ）の飽和蒸気圧（３５℃で約９Ｖｏｌ％）の環境において加熱する。加熱は、貴金属線４１に電流を流通させ、ジュール熱を発生させることにより感応層４２全体がヘキサメチルジシロキサンの分解温度以上になるように調整する。すると、雰囲気のヘキサメチルジシロキサンが熱分解して感応層４２表面に緻密なシリカ薄膜４３ａを形成し、水素ガス検知素子として用いられるようになる（例えば特願２０００−１５２８３１号参照）。
【００２８】
〈臭い検知素子〉
四塩化スズを用い一定の水溶液を調整し、これにアンモニア水を滴下して得た水酸化スズの沈澱物を乾燥後、電気炉で６００℃で２時間焼成して酸化スズを得る。これを粉砕して微粉末とし、水で練ってペースト状にする。このペーストを図４（ロ）に示すように、貴金属線として白金薄膜の櫛形電極４１とヒーターを備えたアルミナ基板の電極部分に塗布する。これを乾燥させた後に電気炉で１０００℃〜１４００℃の温度で２時間焼成し酸化スズの厚膜からなる感応層１２を得て、ガス検知素子を得る。硝酸鉛の水溶液を、前述の酸化スズに対して、０．５〜８ａｔｍ％（最適添加量２ａｔｍ％）になるように調整して、それぞれの液を前記感応層４２に含浸する。さらにこれを室温で乾燥後６００℃で１時間加熱しそれぞれの酸化物を得る。次に酸化チタンを粉砕して微粉末としたものを水で練ってペースト状にし、これを前述の酸化スズ焼結体の表層に塗布する。さらに室温で乾燥後６００℃で２時間加熱し焼結させて触媒層を形成する。（例えば特願平６−４８３９４号参照）
【００２９】
〈炭化水素ガス検知素子〉
水酸化インジウムの微粉体に塩化スズの所定濃度水溶液を、前記水酸化インジウム中のインジウムに対してスズが０．５ａｔｍ％含まれるように含浸させ、８０℃で２４時間乾燥させた後、電気炉で６００℃で４時間焼成した。こうして得られた酸化インジウムをさらに粉砕して、平均粒径１．５μｍ程度の微粉体を形成した。この微粉体を１，３−ブタンジオールを用いてペーストにして、図４（イ）に示すように、実効寸法０．４０ｍｍの白金線コイル４１（線径２０μｍ、巻き径０．３０ｍｍ、巻き間隔０．０２ｍｍ）に直径０．４５ｍｍの球形で、前記白金線コイル４１の全体を覆うように塗布する。これをさらに８０℃で１時間乾燥させた後、前記白金線コイル４１に電流を流し、そのジュール熱で６００℃で１時間焼成させ、熱線型半導体式ガス検知素子４の感応層１２を得た。
一方、市販の塩化スズと硝酸コバルトを前記コバルトが溶質成分中に、０．１〜２．０ａｔｍ％含まれるような所定濃度に溶解した混合水溶液を用意し、アンモニア水溶液を滴下し、加水分解により沈殿物を得た。生成した沈殿物は、蒸留水で洗浄して塩素等の雑イオンを除去した後、８０℃で１時間乾燥させて、スズ酸ゲルを得た。これをさらに細かく粉砕し、電気炉を用いて６００℃にて４時間焼成し、最終的に酸化コバルトを０．５ａｔｍ％含有した酸化スズを得た。この酸化物をさらに粉砕して、平均粒径１．０μｍ程度の微粉体を形成した。
この微粉体を１，３−ブタンジオールを用いてペーストにして、前記感応層４２を被覆するように、５０μｍ厚になるようにコーティングし、被覆層（触媒層）４３ｃを形成した。さらに、同様に、乾燥後、６００℃にて３０分間空気中で焼結させせ、熱線型半導体式ガス検知素子を得た。（例えば特願平０９−２９９８４２号参照）
【００３０】
前記ガス検知素子４は、図３に示すように、ブリッジ回路に組み込んで用いられる。つまり、前記ガス検知素子４に、固定抵抗Ｒ０を直列に接続するとともに、このガス検知素子４と固定抵抗Ｒ０との合成抵抗に対して固定抵抗Ｒ１と固定抵抗Ｒ２との合成抵抗を、前記ガス検知素子４と固定抵抗Ｒ１、固定抵抗Ｒ０と固定抵抗Ｒ２が対向するように並列に接続する。また、前記ガス検知素子４と固定抵抗Ｒ０の間と、前記固定抵抗Ｒ１と固定抵抗Ｒ２との間との電位差をセンサ出力として取出すガス検知回路部５を接続してある。前記ガス検知回路部５では、得られたセンサ出力を送信部６、受信部７を介して演算部８に伝達し、前記演算部８で代謝ガス濃度もしくはシロアリの頭数もしくはシロアリ被害度に換算し、報知部９において数値表示したり、ブザーを鳴動させたりして検知結果を報知可能に構成する。
【００３１】
このようなブリッジ回路によれば、供給電圧をＥ、センサ出力をＶ、半導体式ガス検知素子の全体としての抵抗値をＲｓ、各固定抵抗Ｒ０，Ｒ１，Ｒ２の抵抗値をそれぞれＲ0、Ｒ1、Ｒ2としたときに、数１の関係を有する。
【００３２】
【数１】
0003805235.tif 000002
【００３３】
【実施例】
以下に本発明の実施例を図面に基づいて説明する。
＜シロアリ食害の検出について＞
前記水素ガス検知素子，ニオイ検知素子、炭化水素ガス検知素子の３種類の半導体式ガス検知素子を使用し，実験室内においてイエシロアリから発生する代謝ガスの検出を行った。
実験方法
図５のように，ポリプロピレン容器１００ａ、１００ｂ（内径約５４ｍｍ，高さ約８０ｍｍ，容積７２５ｍｌ）の中に、イエシロアリ１０１を、職蟻，兵蟻が（ａ）１００：１０，
（ｂ）２００：２０，
（ｃ）５００：５０，
（ｄ）１０００：１００
の構成となるように封入し、そのポリプロピレン容器の蓋１００ｂに前記３種類の半導体式ガス検知素子４，４，４を、そのポリプロピレン容器１００ａ内に臨んで直接取付け、前記ポリプロピレン容器１００ａ内に発生する代謝ガスの挙動を調べた。尚、ポリプロピレン容器１００ａ内は、
（１）：水を含ませた濾紙１０２を入れてあるもの、（図５（ロ））
（２）：水を含ませたアカマツ試料１０３（３０×３０×５０ｍｍ）を入れてあるもの、（図５（ハ））
（３）：前記アカマツ試料１０３を前記イエシロアリとともに、側壁１０４ａがアクリル製で底部１０４ｂが石膏製の上部開放有底筒状容器１０４に入れるとともに、その有底筒状容器１０４外の前記ポリプロピレン容器１００ａ内に水を含ませた脱脂綿１０５を入れてあるもの（図５（イ））、
（４）：（３）の条件に加え、前記イエシロアリが２日間絶食状態であったものを用いたもの（図５（イ））
の４種の条件のものを用意して、それぞれの場合における封入後３時間における代謝ガスの濃度を調べた。
以下（ａ）かつ（１）の条件のものを（ａ１）のように標記するものとする
また，
（ｅ）なにも封入しないもの，
（ｆ）水を含ませた濾紙のみ封入したもの，
（ｇ）水を含ませたアカマツ試料のみ封入したもの，
（ｈ）イエシロアリの死骸（職蟻：兵蟻，２００：２０）のみ封入したもの
についても同様に調べた。
【００３４】
＜実験結果と考察＞
それぞれの条件におけるガス検知素子の出力に基づき得られたガス濃度を図６に示す。
【００３５】
水素ガス検知素子では、図６（イ）に示すように、（ｅ）〜（ｈ）の条件で出力が得られないために、妨害ガスの影響を受けにくく、かつ、（ａ）〜（ｄ）の条件でシロアリの頭数が増えるに従って出力が高くなり、水素ガスの検出濃度とシロアリの生息数とには高い相関性があることが読みとれる。従って、水素ガス検知素子により代謝ガスを検出すれば、特に好適にシロアリによる被害状況が確認できることがわかる。
【００３６】
これに対して、ニオイ検知素子を用いた場合には、図６（ロ）に示すように、シロアリの有無によらず出力が得られ、特にアカマツ試料のニオイを直接検知していることが読みとれる。
また、（ｇ）、（ａ４）〜（ｄ４）の傾向を見ると、シロアリの頭数の増加に従って、アカマツ試料のニオイに加えて、直接シロアリの食害によって発生したニオイによる出力が増加し、アカマツ試料に対してシロアリの頭数が増えすぎると、食害の程度が頭打ちになるに従ってそのニオイに対する出力も頭打ちになっていることが読みとれる。
【００３７】
つまり、シロアリの食害そのものによる代謝ガスの発生がシロアリの頭数と相関を有することが分かり、シロアリの他の活動に基づく代謝ガスの発生と、食害による代謝ガスの発生とは区別して検知されうることが分かる。また、シロアリの食害以外に基づきシロアリから発生する代謝ガスは（ａ１）〜（ｄ１）によるものと考えられ、かつ、（ａ２）〜（ｄ２）、（ａ３）〜（ｄ３）を参照すると、シロアリの数の増加に伴い、代謝ガスに対する出力を低下させている要因が発生していることも読みとれるから、ニオイ検知素子を用いてシロアリを検知する場合には、上述の２つの要因がバランスして、代謝ガスに基づく出力がアカマツそのもののニオイよりも十分高い所定レベルに達しているか否かによって、食害が発生しているか否かを判定するという使用方法を適用することが好ましいものと考えられる。
【００３８】
さらに、炭化水素ガス検知素子によると、図６（ハ）に示すように、シロアリの有無に関わらず高い出力が得られていることが分かり、また、（ｅ）、（ｆ）の比較から、出力が湿度による影響を受けていることがよみとれる。また、（ｇ）、（ｈ）から、シロアリの死骸、アカマツなど、水分を吸放出して安定させる要因が有れば、その影響は低くおさえられていることも伺える。
【００３９】
従って、このようなガス検知素子を用いてシロアリ検知装置を構成する場合には、先述の実施の形態に記載のようにガス誘導部には除湿フィルタを設けてあることが望ましいことがわかる。また、（ａ１）〜（ｄ１）が、シロアリの頭数の増加に基づいて炭化水素ガスの検出量が増加していることを示していることから、炭化水素ガス検知素子によると、シロアリの食害以外の要因によって発生する代謝ガスを捉えることができている可能性を示唆している。つまり、炭化水素ガス検知素子によると、シロアリの絶対数に応じた出力が得られ、シロアリを検知することができることが分かる。
【００４０】
＜代謝ガスの増加の時間依存性＞
前記水素ガス検知素子（イ），ニオイ検知素子（ロ）、炭化水素ガス検知素子（ハ）の３種類の半導体式ガス検知素子により検出される代謝ガスの時間的な変動を調べた。
実験方法
先と同様の実験容器に前記イエシロアリを所定量封入し、各ガス検知素子により前記イエシロアリからの代謝ガスに基づく出力の時間変化をモニタした。イエシロアリとしては職蟻と兵蟻との割合を種々変更して行った。コントロールとして濾紙のみの場合（ｃ）についても同様に測定した。
【００４１】
＜実験結果と考察＞
それぞれの条件におけるガス検知素子の出力の時間変化を図７に示す。
水素ガス検知素子によると、図７（イ）に示すように、シロアリのいない場合（ｃ）は、測定開始当初から低い出力レベルを維持する挙動を示すのに対して、職蟻１５０頭と兵蟻５０頭を用いたもの（ａ）、及び職蟻２００頭を用いたもの（ｂ）では、いずれの場合であっても、測定開始当初は、出力の増加傾向を示し、また、（ｂ）では、１時間程度経過した頃から低い出力で安定し始め、その後、緩やかに出力が増加して、最終的には高い出力で安定状態に達する一方、（ａ）では、高い出力に達するまで出力が増加し続けることがよみとれる。そのため、出力の時間変化を明確に区別することができることがわかる。
尚、シロアリの職蟻と兵蟻の割合の相違によっても出力の時間変化が異なることも読みとれる。
【００４２】
また、ニオイ検知素子によると、図７（ロ）に示すように、シロアリのいない場合（ｃ）は、測定開始当初から低い出力レベルを維持する挙動を示すのに対して、職蟻１５０頭と兵蟻５０頭を用いたもの（ａ）、及び職蟻２００頭を用いたもの（ｂ）では、出力が急増した後、所定の値で安定する。したがって、出力の安定出力値により、シロアリの有無あるいはその数量、職蟻と兵蟻との比率等を判断できることが分かる。
【００４３】
さらに炭化水素ガス検知素子によると、図７（ハ）に示すように、シロアリのいない場合（ｃ）は、やはり、測定開始当初から低い出力レベルを維持する挙動を示すのに対して、職蟻１５０頭と兵蟻５０頭を用いたもの（ａ）では、水素ガス検知素子による場合と同様測定開始当初から急激に出力の増加を示し、職蟻２００頭を用いたもの（ｂ）では、初期出力が、低い出力で安定し始め、その後、出力は増加に転じ、最終的には高い出力に達する。そのため、出力の時間変化を明確に区別することができることがわかる。
【００４４】
この結果によると、標準的な環境における各ガス検知素子の出力変化と、シロアリ存在下の出力変化傾向は大きく異なるため、シロアリの有無、多少、あるいは、シロアリの職蟻、兵蟻の構成比等を判別できることが読みとれる。尚、図７は、シロアリを容器に封入してからの時間を基に測定しているが、実際の検知に際しては、すでに十分に時間が経過した状況での出力を得ることになるので、比較的短時間で上述のような傾向がつかめるものと考えられる。
【００４５】
＜ステーション内部の温度とガス検知素子の出力関係＞
前記水素ガス検知素子、温度センサ、湿度センサの３種類を図５（イ）のようなポリプロピレン容器１００ａ、１００ｂの中にイエシロアリの職蟻１５０頭、兵蟻５０頭をアカマツ試料とともに封じ込めたものを恒温槽にいれて、温度を−１０℃〜４０℃に変化させて６時間後に前記水素ガス検知素子の出力を取得して、イエシロアリの代謝ガスと温度の関係を測定した。この実験ではポリプロピレンの容器底部を水で満たして、高湿度下での実験と見なせるようにしてある。
【００４６】
＜実験結果と考察＞
実験結果を図８に示す。図８より、イエシロアリには、周囲の温度に応じてその活動量が変わる習性があり、これに応じて代謝ガスの放散量にも差が生じていることがよみとれる。また、１５℃以下代謝ガス量が少なくシロアリが活動を停止しているものと考えられ、２０℃〜３５℃では、ガス放散量が安定する傾向にあることがわかり、シロアリが活動しているものと考えられる。
【００４７】
したがって、ステーション内に温度検知機構を設け、前記温度検知機構からの温度検知出力が、１５℃以上を示すものである場合には、シロアリは活動しているものとして、ガス検知回路部を作動させる制御部を設けてあれば、的確にシロアリによる食害を見いだすことができることになり、省電力でシロアリの監視が行えることがわかる。
【００４８】
＜ステーション内部の湿度とガス検知素子の出力関係＞
前記水素ガス検知素子、温度センサ、湿度センサの３種類を図５（ハ）のようなポリプロピレン容器１００ａ、１００ｂの中にイエシロアリの職蟻１５０頭、兵蟻５０頭を予め含水率を変えたアカマツと共に封じ込めたものを恒温槽にいれて、温度を２０℃または３０℃一定に保ち、６時間後に前記水素ガス検知素子の出力を取得して、イエシロアリの代謝ガスと湿度の関係を測定した。
【００４９】
＜実験結果と考察＞
実験結果を図９に示す。イエシロアリは高温多湿を好む習性があり、湿度に応じて代謝ガスの放散量にも差が見られる。図９から明らかなように、代謝ガスは相対湿度が６０％ＲＨ以下では湿度に依存するものの、相対湿度６０％ＲＨ以上では代謝ガス量が安定していることから、相対湿度６０％ＲＨ以上の時に活動が活発になることがわかる。
【００５０】
したがって、ステーション内に湿度検知機構を設け、前記湿度検知機構からの湿度検知出力が、相対湿度が６０％ＲＨ以上を示すものである場合には、シロアリは活動しているものとして、ガス検知回路部を作動させる制御部を設けてあれば、的確にシロアリによる食害を見いだすことができることになり、省電力でシロアリの監視が行えることがわかる。
また、温度が２０℃以上、かつ相対湿度が６０％ＲＨ以上の時に代謝ガスを検出するように駆動制御するようにすれば、さらに、効率よくシロアリを監視できるようになるとともに、前記温度検知出力や、湿度検知出力に基づいて前記ガス検知出力を校正しつつ、シロアリの食害状況を判断すればより正確にシロアリを監視できるようになる。
【図面の簡単な説明】
【図１】シロアリ監視機構の概略図
【図２】シロアリ監視装置の概略図
【図３】ガス検知回路を示す図
【図４】ガス検知素子の一部破断斜視図
【図５】実施例に用いた実験容器の概略図
【図６】シロアリ食害の検出結果を示すグラフ
【図７】代謝ガスの増加の時間依存性を示すグラフ
【図８】代謝ガスの雰囲気温度依存性を示すグラフ
【図９】代謝ガスの雰囲気湿度依存性を示すグラフ
【符号の説明】
１０  シロアリ用ベイト
１    ベイト収容空間
２    埋設本体
３    蓋部材
４    ガス検知素子
【図１】
0003805235.tif 000003
【図２】
0003805235.tif 000004
【図３】
0003805235.tif 000005
【図４】
0003805235.tif 000006
【図５】
0003805235.tif 000007
【図６】
0003805235.tif 000008
【図７】
0003805235.tif 000009
【図８】
0003805235.tif 000010
【図９】
0003805235.tif 000011